(57)【要約】【課題】バッテリー端子の回転を防止して車両組付作業性を向上させる。【解決手段】ヒューズボックス１０は支持板２０を介してバッテリーボックス１の上面に載置され、支持板２０の所要位置にバッテリーポスト２、３を内嵌させる貫通穴２０ｂ、２０ｄを穿設していると共に、位置決め用のエンボス部２０ａを突出させ、ヒューズボックス１０のケース１３には支持板２０のエンボス部２０ａに対応する位置に被嵌合部１３ａを備え、バッテリーポスト２、３に支持板２０の貫通穴２０ｂ、２０ｄを貫通させた状態で、支持板２０の上面にヒューズボックス１０を設置し、バッテリー端子１５の円弧部１５ａでバッテリーポスト２を外嵌固定すると共に、エンボス部２０ａを被嵌合部１３ａに嵌合する。【選択図】　図１
2004047178.tif 000002
【特許請求の範囲】
【請求項１】
ヒューズを収容しているヒューズボックスをバッテリーの上面に設置し、該バッテリーの上面より突設するバッテリーポストに固定するバッテリー端子を上記ヒューズと電気接続しているヒューズボックスの固定構造であって、
上記ヒューズボックスとバッテリー上面との間に、絶縁樹脂で成形された平板状の支持板を介在させ、該支持板に一対の貫通穴を設けて上記バッテリーポストを挿通させると共に、該支持板に位置決め用のエンボス部を突出させ、該エンボス部を上記ヒューズボックスのケース底壁に形成した被嵌合部に嵌合させ、
上記バッテリーポストに上記バッテリー端子の円弧部を外嵌固定＜削除＞　することにより上記ヒューズボックスをバッテリー上に支持し、上記エンボス部による被嵌合部の支持との２カ所の支持で、上記ヒューズボックスを上記バッテリーに対して回転不可に位置決め支持していることを特徴とするヒューズボックスの固定構造。
【請求項２】
ヒューズを収容しているヒューズボックスをバッテリーの上面に設置し、該バッテリーの上面より突設するバッテリーポストに固定するバッテリー端子を上記ヒューズと電気接続しているヒューズボックスの固定構造であって、
上記ヒューズボックスとバッテリー上面との間に、絶縁樹脂で成形された平板状の支持板を介在させ、該支持板に一対の貫通穴を設けて上記バッテリーポストを挿通させると共に、該支持板に電線保持用のクリップ部を突設し、
上記バッテリーポストに上記バッテリー端子の円弧部を外嵌固定することにより上記ヒューズボックスを上記バッテリー上に支持し、上記クリップ部による上記ヒューズボックスから外部に延出する電線の支持との２カ所の支持で上記ヒューズボックスを上記バッテリーに対して回転不可に位置決め支持していることを特徴とするヒューズボックスの固定構造。
【請求項３】
上記バッテリー端子に圧着された電線は、上記ヒューズボックスのケースに保持されている請求項１または請求項２に記載のヒューズボックスの固定構造。
【請求項４】
上記支持板に穿設する一対の貫通穴のうち、＜削除＞（＋）側バッテリーポストの貫通穴の周縁に沿って複数のリブを突出させ、上記バッテリーポストあるいは該バッテリーポストを囲む樹脂部分を密嵌する構成としている請求項１乃至請求項３のいずれか１項に記載のヒューズボックスの固定構造。
【請求項５】
上記支持板は、（＋）側バッテリーポストの貫通穴は円形状とする一方、（−）側バッテリーポストの貫通穴は長円形状としている請求項１乃至請求項４のいずれか１項に記載のヒューズボックスの固定構造。
【請求項６】
上記ヒューズボックス内でヒューズの端子にバスバーを締結し、該バスバーを上記バッテリー端子と締結し、該バッテリー端子の上記円弧部をヒューズボックスの開口より露出させて上記バッテリーポストに外嵌固定している請求項１乃至請求項５のいずれか１項に記載のヒューズボックスの固定構造。
【発明の詳細な説明】
【０００１】
【発明の属する技術分野】
本発明は、ヒューズボックスの固定構造に関し、詳しくは、自動車のバッテリーの上部に搭載されるヒューズボックスを安定して固定するものである。
【０００２】
【従来の技術】
従来、自動車のバッテリーに接続するヒューズは、図６に示すように、バッテリーボックス１の上面に突出するバッテリーポスト２に、リード線４の端末に接続したバッテリー端子３を嵌合接続し、リード線４をヒューズボックス５へと配線して、ヒューズボックス５の内部に収容しているヒューズ（図示せず）と接続している。
【０００３】
【発明が解決しようとする課題】
しかし、バッテリーボックス１とヒューズボックス５とを離れた位置に配置し、リード線４で接続すると、ヒューズボックス５の設置スペースを別途必要とすると共に、リード線が損傷を受けるとヒューズの上流で溶断が発生する恐れもある。
また、バッテリーポスト２は略円筒形状であるため、リード線４の端末のバッテリー端子３の接触部も円弧形状として、バッテリー端子３をバッテリーポスト２に外嵌して固定する構成としているが、バッテリー端子３がバッテリーポスト２を中心として回転し、リード線４が正規の方向に向かなくなる場合があり、車両への組付作業性を低下させる問題も生じていた。
【０００４】
本発明は上記問題に鑑みてなされたものであり、リード線を介さずにバッテリーヒューズをバッテリー・ポストに接続して省スペース化および電気接続信頼性の向上を図ると共に、バッテリー端子の回転により誤った方向に向くことを防止して車両への組付作業性を向上させることを課題としている。
【０００５】
【課題を解決するための手段】
上記課題を解決するために、本発明は、第１に、ヒューズを収容しているヒューズボックスをバッテリーの上面に設置し、該バッテリーの上面より突設するバッテリーポストに固定するバッテリー端子を上記ヒューズと電気接続しているヒューズボックスの固定構造であって、
上記ヒューズボックスとバッテリー上面との間に、絶縁樹脂で成形された平板状の支持板を介在させ、該支持板に一対の貫通穴を設けて上記バッテリーポストを挿通させると共に、該支持板に位置決め用のエンボス部を突出させ、該エンボス部を上記ヒューズボックスのケース底壁に形成した被嵌合部に嵌合させ、
上記バッテリーポストに上記バッテリー端子の円弧部を外嵌固定＜削除＞　することにより上記ヒューズボックスをバッテリー上に支持し、上記エンボス部による被嵌合部の支持との２カ所の支持で、上記ヒューズボックスを上記バッテリーに対して回転不可に位置決め支持していることを特徴とするヒューズボックスの固定構造を提供している。
【０００６】
上記構成とすれば、ヒューズボックスがバッテリーに直付けされることになり、従来必要としたヒューズボックスの設置スペースが不要となり、車両内の限られた配索スペースを有効利用することができる。また、上記バッテリー端子の円弧部を上記バッテリーポストに外嵌すると共に、リード線を介さずにバッテリー端子を介してヒューズボックス内のバッテリーヒューズとバッテリーポストとを電気接続しているので、電気接続信頼性の向上を図ることができる。
【０００７】
さらに、＋および−のバッテリーポストを貫通した支持板のエンボス部をヒューズボックスのケースの上記被嵌合部に嵌合するので、ヒューズボックスは、バッテリーポストとバッテリー端子の円弧部との固定と、支持板のエンボス部と被嵌合部との固定との２点で位置決め支持され、ヒューズボックスがバッテリーポストを中心に回転して誤った方向に向くことを防止することができる。
したがって、ヒューズボックスの車両への組付作業性が向上すると共に、該ヒューズボックスから延出する電線を他の機器に接続する際の作業性も向上する。
【０００８】
なお、上記バッテリー端子がヒューズボックス内のヒューズと接続されていることで、ケースがバッテリーポストに対して固定されていることに加えて、上記バッテリー端子に圧着された電線が、上記ヒューズボックスのケースに保持されていることによっても、ケースはバッテリーポストに対して固定される。
また、上記支持板は別体としているため、各種バッテリーに対応することができる。また、バッテリーに直接設置されるため、支持板の材料は耐薬品性を有することが好ましい。
【０００９】
また、本発明は、第２に、ヒューズを収容しているヒューズボックスをバッテリーの上面に設置し、該バッテリーの上面より突設するバッテリーポストに固定するバッテリー端子を上記ヒューズと電気接続しているヒューズボックスの固定構造であって、
上記ヒューズボックスとバッテリー上面との間に、絶縁樹脂で成形された平板状の支持板を介在させ、該支持板に一対の貫通穴を設けて上記バッテリーポストを挿通させると共に、該支持板に電線保持用のクリップ部を突設し、
上記バッテリーポストに上記バッテリー端子の円弧部を外嵌固定することにより上記ヒューズボックスを上記バッテリー上に支持し、上記クリップ部による上記ヒューズボックスから外部に延出する電線の支持との２カ所の支持で上記ヒューズボックスを上記バッテリーに対して回転不可に位置決め支持していることを特徴とするヒューズボックスの固定構造を提供している。
【００１０】
上記第１の発明では、ヒューズボックスの回転防止として、支持板のエンボス部をケースの被嵌合部に嵌合することで行っているが、上記第２の発明では、支持板に設けたクリップ部でヒューズボックスより延出する電線を係止することにより、ヒューズボックスの回転を防止することができる。
なお、第１の発明のエンボス部とヒューズボックスのケースの被嵌合部との嵌合と、第２の発明の電線をクリップ部で支持する構成の両方を設けても良いことは言うまでもない。
【００１１】
上記支持板に穿設する一対の貫通穴のうち、＜削除＞（＋）側バッテリーポストの貫通穴の周縁に沿って複数のリブを突出させ、上記バッテリーポストあるいは該バッテリーポストを囲む樹脂部分を密嵌する構成としている。
上記構成とすると、バッテリーポストに支持板の貫通穴を貫通させた際に、上記内方に突出した複数のリブが、バッテリーポストあるいは該バッテリーポストの根元を包囲するバッテリーの樹脂部分に圧接されるので、支持板のガタつきを防止することができる。
なお、上記複数のリブは、貫通穴の周縁より等間隔に突出していると好ましい。
【００１２】
また、上記支持板は、（＋）側バッテリーポストの貫通穴は円形状とする一方、（−）側バッテリーポストの貫通穴は長円形状とすることが好ましい。
上記構成とすると、バッテリーの品種によって＋のバッテリーポストと−のバッテリーポストとの間隔の寸法が異なる場合にも、他方の貫通穴を幅に余裕のある長円形状としていることで、上記寸法差を吸収することができ、異なる品種のバッテリーに対して汎用化することができる。
【００１３】
上記ヒューズボックス内でヒューズの端子にバスバーを締結し、該バスバーを上記バッテリー端子と締結し、該バッテリー端子の上記円弧部をヒューズボックスの開口より露出させて上記バッテリーポストに外嵌固定している。
【００１４】
詳細には、ヒューズの本体から突出する端子とバスバーとを重ねてボルト締め固定した後、上記ヒューズボックスのケースに収容し、該バスバーの他端を上記バッテリー端子の円弧部の開口両端より突出する一対の締付片と重ねて、該円弧部をバッテリーポストに外嵌してボルトとナットで締結する時に上記バスバーも同時に締結する構成としている。該構成とすることで、バッテリー端子をバッテリーポストに締結固定することによりヒューズボックスも同時にバッテリーに固定される。
【００１５】
【発明の実施の形態】
以下、発明の実施形態を図面を参照して説明する。
図１乃至図３は本発明の第１実施形態を示し、ヒューズボックス１０を支持板２０を介して自動車に搭載されるバッテリーボックス１の上面に固定している。
【００１６】
ヒューズボックス１０は、図３に示すように、アッパーケース１１、中ケース１２、ロアケース１３からなるケース内部に、バッテリーヒューズ１４と該バッテリーヒューズ１４の端子に接続した入力側バスバー１６、出力側バスバー１７を収容固定している。
詳しくは、バッテリーヒューズ１４の本体部１４ａの底面より水平方向に突出する入力端子１４ｂと出力端子１４ｃとにそれぞれ入力側バスバー１６および出力側バスバー１７の一端を重ね、入力側バスバー１６および出力側バスバー１７より突出したネジ部１６ａ、１７ａを入力端子１４ｂおよび出力端子１４ｃの貫通穴（図示せず）に貫通してナットＮで締結固定して、中ケース１２にバッテリーヒューズ１４および入力側バスバー１６、出力側バスバー１７を収容している。
なお、上記入力側バスバーと出力側バスバーを予めケース本体に収容した後、バッテリーヒューズの入力端子と入力側バスバー、出力端子と出力側バスバーとを夫々ボルト締めしてもよい。
【００１７】
このように、バッテリーヒューズ１４と入力側バスバー１６、出力側バスバー１７を収容固定した中ケース１２をロアケース１３内に組みつけ、該ロアケース１３にアッパーケース１１を組みつけている。
なお、中ケース１２は、発熱量の多いバスバー１６、１７と直接接触するので耐熱性樹脂を使用しており、その使用量を最小にするため主にバスバー１５、１６との接触部分にのみ設けている一方、ロアケース１３およびアッパーケース１１は、安価な合成樹脂を用いている。また、バッテリーボックス１の上面に載置することを考慮して耐薬品性を有していると好ましい。
【００１８】
ロアケース１３は、中ケース１２を収容する収容部１３ｂの下端より側方に鍔部１３ａを突出させ、鍔部１３ａの所要位置に逆凹形状の膨出部（被嵌合部）１３ａ−１を設けている。
アッパーケース１１は半側部を開閉蓋１１ａとし、ロアケース１３にロック結合している他半側部１１ｂとの間にヒンジ１１ｃを介在させて開閉自在としている。
【００１９】
バッテリー端子１５は、電源回路の電線ｗ１の先端に圧着接続され、バッテリーポスト２に外嵌する円弧部１５ａが突出し、該円弧部１５ａの両側先端より一対の締付片１５ｂ、１５ｃが突出し、これら一対の締付片１５ｂ、１５ｃにボルト穴（図示せず）を設けている。
また、電線ｗ１は、中ケース１２の電線収容部１２ａに挿通させた状態で、電線収容部１２ａの一側壁とヒンジ部１２ｃを介して連結された蓋部１２ｂを閉じて、蓋１２ｂ側のロック枠１２ｄを電線収容部１２ａ側の被ロック部１２ｅにロックすることで中ケース１２に保持されている。
さらに、バッテリー端子１５の円弧部１５ａと対応する位置の中ケース１２およびロアケース１３には開口部１９を設け、円弧部１５ａを外部に露出している。
【００２０】
入力側バスバー１６の他端は、一方の締付片１５ｃの側方に重なる位置に延在させて接続片１６ｂとし、該接続片１６ｂには締付片１５ｂ、１５ｃのボルト穴（図示せず）と連通するボルト穴１６ｂ−１を設けている。
出力側バスバー１７の他端側の中間位置では、バスバー上面よりネジ部１７ｂを上方に突出し、リレーボックス（図示せず）に接続する電線ｗ２の端末の端子１８をナットＮで締結している。
【００２１】
支持板２０は、略矩形状の平板の一側に円形状の貫通穴２０ｂを穿設する一方、他側に長円形状の貫通穴２０ｄを穿設し、各貫通穴２０ｂ、２０ｄの間の所要位置より円柱状のエンボス部２０ａを上方に突出している。また、円形の貫通穴２０ｂの周縁より４つのリブ２０ｃを内方に突出している。
なお、支持板２０の材料はバッテリーボックス１の上面に直接載置されることを考慮して耐薬品性を有している。
【００２２】
次に、ヒューズボックス１０のバッテリーボックス１への固定方法を説明する。
図１および図２に示すように、支持板２０の一方の貫通穴２０ｂをバッテリーポスト（＋）２に貫通させると共に、他方の貫通穴２０ｄをバッテリーポスト（−）３に貫通させる。
【００２３】
この時、他方の貫通穴２０ｄは長円形状であるので、バッテリーの品種が異なることでバッテリーポスト２、３間の寸法が異なる場合でも、該寸法差を吸収して取り付けることができる。
また、貫通穴２０ｂの周縁にはリブ２０ｃを内方に突出しているので、バッテリーポスト（＋）の根元を包囲する樹脂部分１ａに圧接して密嵌されるので、支持板２０のガタつきを防止することができる。
【００２４】
上記状態から、バッテリー端子１５の円弧部１５ａを支持板２０の貫通穴２０ｂから上方に突出したバッテリーポスト（＋）２に外嵌し、締結片１５ｂ、１５ｃのボルト穴（図示せず）と入力側バスバー１６の接続片１６ｂのボルト穴１６ｂ−１を重ね合わせ、ボルトＢを通してナットＮで締め付けることで、円弧部１５ａをバッテリーポスト（＋）２に外嵌固定して、バッテリーとバッテリーヒューズ１４との電気接続を図ると同時に、ヒューズボックス１０をバッテリーボックス１に固定し、アッパーケース１１の開閉蓋１１ａを閉じてロアケース１３にロック結合している。
【００２５】
さらに、ヒューズボックス１０のロアケース１３の鍔部１３ａに設けた膨出部１３ａ−１に、支持板２０のエンボス部２０ａを下方より挿入嵌合している。
これにより、ヒューズボックス１０は、バッテリーポスト（＋）２とバッテリー端子１５の円弧部１５ａとの固定と、支持板２０のエンボス部２０ａと膨出部１３ａ−１との固定との２点で位置決め固定され、ヒューズボックス１０がバッテリーポスト（＋）２を中心に回転して誤った方向に向くことを防止することができる。
したがって、ヒューズボックス１０の車両への組付作業性が向上すると共に、ヒューズボックス１０から延出する電線ｗ１、ｗ２を他の機器に接続する際の作業性も向上する。
【００２６】
また、ヒューズボックス１０がバッテリーボックス１に直付けされることで、従来のヒューズボックスの設置スペースが不要となり、車両内の限られた配索スペースを有効利用することができる。また、バッテリー端子１５の円弧部１５ａをバッテリーポスト（＋）２に外嵌すると共に、リード線を介さずにバッテリー端子１５を介してヒューズボックス１０内のバッテリーヒューズ１４とバッテリーポスト（＋）２とを電気接続しているので、電気接続信頼性の向上を図ることができる。
【００２７】
さらに、ヒューズボックス１０内のヒューズ１４は横向きに寝かせて配置していることで、ケースの低背化が図られ、バッテリーボックス１の上面に配置されるヒューズボックス１０とボンネット（図示せず）との間のクリアランスを確保することにも貢献している。
なお、上記のような別体の支持板を用いずに、通常備えられているバッテリー支持用のステー（図示せず）にエンボス部を設ける構成としてもよい。
【００２８】
図４は第２実施形態を示す。
第１実施形態との相違点は、被嵌合部となる膨出部１３ａ−１の代わりに、被嵌合穴１３ａ−１’を穿設している点である。
バッテリー端子１５の円弧部１５ａを支持板２０の貫通穴２０ｂから上方に突出したバッテリーポスト（＋）２に外嵌し、締結片１５ｂ、１５ｃのボルト穴（図示せず）と入力側バスバー１６の接続片１６ｂのボルト穴１６ｂ−１を重ね合わせ、ボルトＢを通してナットＮで締め付けて、円弧部１５ａをバッテリーポスト（＋）２に外嵌固定する一方、支持板２０のエンボス２０ａをロアケース１３’の被嵌合穴１３ａ−１’に嵌合する。
【００２９】
これにより、ヒューズボックス１０’は、バッテリーポスト（＋）２とバッテリー端子１５の円弧部１５ａとの固定と、支持板２０のエンボス部２０ａと被嵌合穴１３ａ−１’との固定との２点で位置決め固定され、ヒューズボックス１０’がバッテリーポスト（＋）２を中心に回転して誤った方向に向くことを防止することができる。
なお、他の構成は第１実施形態と同様であるため説明を省略する。
【００３０】
図５は第３実施形態を示す。
第１実施形態との相違点は、支持板２０’にエンボス部を設ける代わりに、クリップ部２０ａ’を設けている点である。
【００３１】
支持板２０’は、円形状の貫通穴２０ｂ’と長円形状の２０ｄ’の間の所要位置よりクリップ部２０ａ’を上方に突出している。
クリップ部２０ａは一対の波状片２０ｅ’からなり、先端にかけて電線径より狭幅な近接部２０ｅ−１’を設けると共に、先端を離反部２０ｅ−２’としている。
ヒューズボックス１０”より延出する電線ｗ２を、支持板２０’のクリップ部２０ａ’の離反部２０ｅ−２’より近接部２０ｅ−１’を離反方向に撓ませながら押し込んで、波状片２０ｅ’の間で電線ｗ２を係止保持する構成としている。
【００３２】
上記構成とすると、ロアケース１３”に膨出部や被嵌合穴などを設けることなく、電線ｗ２の方向を規制することができる。即ち、ヒューズボックス１０”は、バッテリーポスト（＋）２とバッテリー端子１５の円弧部１５ａとの固定と、支持板２０’のクリップ部２０ａ’と電線ｗ２との固定との２点で位置決め固定され、ヒューズボックス１０”がバッテリーポスト（＋）２を中心に回転して誤った方向に向くのを防止できる。
したがって、ヒューズボックス１０”の車両への組付作業性が向上すると共に、ヒューズボックス１０”から延出する電線ｗ１、ｗ２を他の機器に接続する際の作業性も向上する。
【００３３】
なお、クリップ部の形状は上記に限定されるものではなく、電線ｗ２（あるいはｗ１）を係止できるものであればよいと共に、ヒューズボックスを係止するものであってもよい。
また、第１実施形態のエンボス部による嵌合固定と本実施形態のクリップ部による固定を同時使用して３点保持する構成としてもよい。
他の構成は第１実施形態と同様であるため説明を省略する。
【００３４】
【発明の効果】
以上の説明より明らかなように、第１の発明によれば、＋および−のバッテリーポストに貫通して位置決めされた支持板のエンボス部をヒューズボックスのケースの被嵌合部に嵌合するので、ヒューズボックスは、バッテリーポストとバッテリー端子の円弧部との固定と、エンボス部と被嵌合部との固定との２点で位置決め固定され、ヒューズボックスがバッテリーポストを中心に回転して誤った方向に向くことが防止される。
また、第２の発明も同様に、支持板に設けたクリップ部でヒューズボックスより延出する電線を係止することにより、ヒューズボックスの回転を防止することができる。
よって、ヒューズボックスの車両への組付作業性、および、ヒューズボックスから延出する電線を他機器に接続する際の作業性も向上する。
【００３５】
また、ヒューズボックスがバッテリーに直付けすることで省スペース化され、また、バッテリーヒューズとバッテリーポストとの接続をリード線を介さずにバッテリー端子を介して直接行っているので、電気接続信頼性が向上される。
【００３６】
また、上記支持板の少なくとも一方の貫通穴の周縁に複数のリブを内方に突出することで、支持板のリブがバッテリーポストあるいは該バッテリーポストの根元を包囲する樹脂部分に圧接され密嵌されるので、支持板のガタつきを防止することができる。
さらに、上記支持板の貫通穴の一方を円形状とし、他方を長円形状とすると、バッテリーの品種によって＋のバッテリーポストと−のバッテリーポストとの間の寸法が異なる場合にも、他方の貫通穴が長円形状であることで、上記寸法差を吸収することができ、支持板を異品種のバッテリーに対して汎用化できる。
【図面の簡単な説明】
【図１】本発明の第１実施形態に係るヒューズボックスの固定構造を示す分解斜視図である。
【図２】支持板を固定した状態を示す概略図である。
【図３】ヒューズボックスの分解斜視図である。
【図４】本発明の第２実施形態に係るヒューズボックスの固定構造を示す分解斜視図である。
【図５】本発明の第３実施形態に係るヒューズボックスの固定構造を示す分解斜視図である。
【図６】従来例を示す図面である。
【符号の説明】
１　　　　　　　バッテリーボックス
２　　　　　　　バッテリーポスト（＋）
３　　　　　　　バッテリーポスト（−）
１０　　　　　　ヒューズボックス
１１　　　　　　アッパーケース
１２　　　　　　中ケース
１３　　　　　　ロアケース
１３ａ　　　　　膨出部（被嵌合部）
１３ａ’　　　　嵌合穴（被嵌合部）
１４　　　　　　ヒューズ
１５　　　　　　バッテリー端子
１５ａ　　　　　円弧部
１６　　　　　　入力側バスバー
１７　　　　　　出力側バスバー
１８　　　　　　端子
２０、２０’　　支持板
２０ａ　　　　　エンボス部
２０ｂ、２０ｄ　貫通穴
２０ｃ　　　　　リブ
２０ａ’　　　　クリップ部
Ｂ　　　　　　　ボルト
Ｎ　　　　　　　ナット
ｗ１、ｗ２　　　電線
【図１】
2004047178.tif 000003
【図２】
2004047178.tif 000004
【図３】
2004047178.tif 000005
【図４】
2004047178.tif 000006
【図５】
2004047178.tif 000007
【図６】
2004047178.tif 000008
【手続補正書】
【提出日】平成15年6月26日(2003.6.26)
【手続補正１】
【補正対象書類名】明細書
【補正対象項目名】特許請求の範囲
【補正方法】変更
【補正の内容】
【特許請求の範囲】
【請求項１】
ヒューズを収容しているヒューズボックスをバッテリーの上面に設置し、該バッテリーの上面より突設するバッテリーポストに固定するバッテリー端子を上記ヒューズと電気接続しているヒューズボックスの固定構造であって、
上記ヒューズボックスとバッテリー上面との間に、絶縁樹脂で成形された平板状の支持板を介在させ、該支持板に一対の貫通穴を設けて上記バッテリーポストを挿通させると共に、該支持板に位置決め用のエンボス部を突出させ、該エンボス部を上記ヒューズボックスのケース底壁に形成した被嵌合部に嵌合させ、
上記バッテリーポストに上記バッテリー端子の円弧部を外嵌固定することにより上記ヒューズボックスをバッテリー上に支持し、上記エンボス部による被嵌合部の支持との２カ所の支持で、上記ヒューズボックスを上記バッテリーに対して回転不可に位置決め支持していることを特徴とするヒューズボックスの固定構造。
【請求項２】
ヒューズを収容しているヒューズボックスをバッテリーの上面に設置し、該バッテリーの上面より突設するバッテリーポストに固定するバッテリー端子を上記ヒューズと電気接続しているヒューズボックスの固定構造であって、
上記ヒューズボックスとバッテリー上面との間に、絶縁樹脂で成形された平板状の支持板を介在させ、該支持板に一対の貫通穴を設けて上記バッテリーポストを挿通させると共に、該支持板に電線保持用のクリップ部を突設し、
上記バッテリーポストに上記バッテリー端子の円弧部を外嵌固定することにより上記ヒューズボックスを上記バッテリー上に支持し、上記クリップ部による上記ヒューズボックスから外部に延出する電線の支持との２カ所の支持で上記ヒューズボックスを上記バッテリーに対して回転不可に位置決め支持していることを特徴とするヒューズボックスの固定構造。
【請求項３】
上記バッテリー端子に圧着された電線は、上記ヒューズボックスのケースに保持されている請求項１または請求項２に記載のヒューズボックスの固定構造。
【請求項４】
上記支持板に穿設する一対の貫通穴のうち、（＋）側バッテリーポストの貫通穴の周縁に沿って複数のリブを突出させ、上記バッテリーポストあるいは該バッテリーポストを囲む樹脂部分を密嵌する構成としている請求項１乃至請求項３のいずれか１項に記載のヒューズボックスの固定構造。
【請求項５】
上記支持板は、（＋）側バッテリーポストの貫通穴は円形状とする一方、（−）側バッテリーポストの貫通穴は長円形状としている請求項１乃至請求項４のいずれか１項に記載のヒューズボックスの固定構造。
【請求項６】
上記ヒューズボックス内でヒューズの端子にバスバーを締結し、該バスバーを上記バッテリー端子と締結し、該バッテリー端子の上記円弧部をヒューズボックスの開口より露出させて上記バッテリーポストに外嵌固定している請求項１乃至請求項５のいずれか１項に記載のヒューズボックスの固定構造。
【手続補正２】
【補正対象書類名】明細書
【補正対象項目名】０００５
【補正方法】変更
【補正の内容】
【０００５】
【課題を解決するための手段】
上記課題を解決するために、本発明は、第１に、ヒューズを収容しているヒューズボックスをバッテリーの上面に設置し、該バッテリーの上面より突設するバッテリーポストに固定するバッテリー端子を上記ヒューズと電気接続しているヒューズボックスの固定構造であって、
上記ヒューズボックスとバッテリー上面との間に、絶縁樹脂で成形された平板状の支持板を介在させ、該支持板に一対の貫通穴を設けて上記バッテリーポストを挿通させると共に、該支持板に位置決め用のエンボス部を突出させ、該エンボス部を上記ヒューズボックスのケース底壁に形成した被嵌合部に嵌合させ、
上記バッテリーポストに上記バッテリー端子の円弧部を外嵌固定することにより上記ヒューズボックスをバッテリー上に支持し、上記エンボス部による被嵌合部の支持との２カ所の支持で、上記ヒューズボックスを上記バッテリーに対して回転不可に位置決め支持していることを特徴とするヒューズボックスの固定構造を提供している。


【手続補正３】
【補正対象書類名】明細書
【補正対象項目名】００１１
【補正方法】変更
【補正の内容】
【００１１】
上記支持板に穿設する一対の貫通穴のうち、（＋）側バッテリーポストの貫通穴の周縁に沿って複数のリブを突出させ、上記バッテリーポストあるいは該バッテリーポストを囲む樹脂部分を密嵌する構成としている。
上記構成とすると、バッテリーポストに支持板の貫通穴を貫通させた際に、上記内方に突出した複数のリブが、バッテリーポストあるいは該バッテリーポストの根元を包囲するバッテリーの樹脂部分に圧接されるので、支持板のガタつきを防止することができる。
なお、上記複数のリブは、貫通穴の周縁より等間隔に突出していると好ましい。